(57)【要約】【課題】椅子本体の前方側のハンドルバーを開放したときに子供の身体に当たるのを防止すると共に、取り付け位置の制限の少ない子供用椅子及び二輪車を提供する。【解決手段】子供用椅子１０の椅子本体１２には、両サイド側に延びる側面部１２Ａに掛け渡されるハンドルバー３０が配設されている。ハンドルバー３０の一端部は、側面部１２Ａに支軸３２を中心に回動可能に支持されており、他端部に設けられた取付部３４が側面部１２Ａの開口部１３Ａにワンタッチで着脱される。ハンドルバー３０は、前方斜め側に突出する略Ｕ字状部材であり、取付部３４側が椅子本体１２に対して前方側の斜め上方方向に開放される。これにより、ハンドルバー３０を開放したときに子供の身体に当たることが防止される。【選択図】図７
2007302094.tif 000002
【特許請求の範囲】
【請求項１】
二輪車に取り付けられる子供用椅子であって、
着席可能な椅子本体と、
前記椅子本体の両サイド側の側面部に架け渡され、一端部を支点として他端部が回動可能に支持されたハンドルバーと、を備え、
前記ハンドルバーが、前記椅子本体に対して前方側の斜め上方方向に開閉することを特徴とする子供用椅子。
【請求項２】
前記ハンドルバーが、前方側に突出する略Ｕ字状部材であることを特徴とする請求項１に記載の子供用椅子。
【請求項３】
前記ハンドルバーの前記他端部に、前記側面部に形成された被係合部に係合される係合部と、前記係合部が前記被係合部に係合したとき前記係合部を前記被係合部側に付勢する付勢部材と、前記付勢部材の力に抗して前記係合部と前記被係合部の係合を解除する操作レバーと、を有することを特徴とする請求項１又は請求項２に記載の子供用椅子。
【請求項４】
前記ハンドルバーの前記一端部に、前記ハンドルバーの開放方向の回動を規制するストッパー部が設けられていることを特徴とする請求項１から請求項３までのいずれか１項に記載の子供用椅子。
【請求項５】
請求項１から請求項４までのいずれか１項に記載の子供用椅子が取り付けられていることを特徴とする二輪車。
【発明の詳細な説明】
【技術分野】
【０００１】
本発明は、二輪車に取り付けられ、子供が着座可能な子供用椅子、及びこの子供用椅子を備えた二輪車に関するものである。
【背景技術】
【０００２】
従来から、サドルの後方に子供が着座可能な子供用椅子を備えた二輪車が提案されている。
【０００３】
この子供用椅子では、座席部の前方に、子供が握ることが可能なハンドル部が設けられている。このハンドル部の下端側の基部は、座席部の底部前端に設けられたハンドル保持部に保持されており、基部をハンドル保持部から引き出してハンドル部を前方側に傾倒させるような構成となっている（例えば、特許文献１参照）。
【０００４】
しかし、特許文献１に記載の構成では、子供を座席部に乗せる場合や降ろす場合にハンドル部を前方に傾倒させるため、前方側に転倒スペースを確保する必要がある。このため、二輪車のサドルの前方又は後方に子供用椅子の取り付けるときに取り付け位置が制限されるという問題がある。
【０００５】
また、ハンドル部が座席部の後方側の保持部に保持され、ハンドル部を前方側から上方の後方側に約９０度回動させるようにした子供用座席が提案されている（例えば、特許文献２参照）。
【０００６】
しかし、特許文献２に記載の構成では、ハンドル部を前方側から上方の後方側に回動させるため、ハンドル部の開放時にハンドル部が顔などの身体に当たりやすいという問題がある。
【特許文献１】特許第３６２６９７８号公報
【特許文献２】仏国実用新案証公開第２７１８４１０号明細書
【発明の開示】
【発明が解決しようとする課題】
【０００７】
本発明は、上記問題点に鑑みてなされたものであり、子供の乗降時にハンドルバーが子供の身体に当たるのを抑制すると共に、二輪車に対する取り付け位置の制限が少ない子供用椅子及び二輪車を提供することを目的とする。
【課題を解決するための手段】
【０００８】
上記課題を解決するために、請求項１に記載の発明は、二輪車に取り付けられる子供用椅子であって、着席可能な椅子本体と、前記椅子本体の両サイド側の側面部に架け渡され、一端部を支点として他端部が回動可能に支持されたハンドルバーと、を備え、前記ハンドルバーが、前記椅子本体に対して前方側の斜め上方方向に開閉することを特徴としている。
【０００９】
請求項１に記載の発明では、二輪車に椅子本体が固定されており、椅子本体に子供が着座可能となっている。椅子本体の両サイド側の側面部には、ハンドルバーが架け渡されており、ハンドルバーは、一端部を支点として他端部が回動することによって開閉される。その際、ハンドルバーは椅子本体に対して前方側の斜め上方方向に開放される。これにより、子供の乗降時にハンドルバーが顔などの身体に当たることが抑制される。また、ハンドルバーが椅子本体に対して前方側の斜め上方方向に開放されるため、二輪車に対する取り付け位置の制限が少なく、二輪車の前後などに装着可能である。
【００１０】
請求項２に記載の発明は、請求項１に記載の子供用椅子において、前記ハンドルバーが、前方側に突出する略Ｕ字状部材であることを特徴としている。
【００１１】
請求項２に記載の発明では、ハンドルバーが前方側に突出する略Ｕ字状部材であるので、椅子本体の両サイド側の側面部にハンドルバーを取り付けたときに、ハンドルバーの取り付け位置を椅子本体に近づけることができるので椅子本体の座面を短くすることが可能となる。このため、椅子本体を二輪車の後部に取り付ける場合、できるだけ前方に取り付けることが可能となり、椅子本体の取り付け位置の制限がさらに少なくなる。
【００１２】
請求項３に記載の発明は、請求項１又は請求項２に記載の子供用椅子において、前記ハンドルバーの前記他端部に、前記側面部に形成された被係合部に係合される係合部と、前記係合部が前記被係合部に係合したとき前記係合部を前記被係合部側に付勢する付勢部材と、前記付勢部材の力に抗して前記係合部と前記被係合部の係合を解除する操作レバーと、を有することを特徴としている。
【００１３】
請求項３に記載の発明では、ハンドルバーの他端部に係合部が設けられており、係合部が椅子本体の側面部に形成された被係合部に係合したとき付勢部材によって係合部が被係合部側に付勢されることで、ハンドルバーの他端部が椅子本体に固定される。また、操作レバーを押すことで、付勢部材の力に抗して係合部と被係合部の係合が解除され、ハンドルバーの他端部が開放される。これにより、ハンドルバーをワンタッチで開閉することが可能となり、操作性が良い。
【００１４】
請求項４に記載の発明は、請求項１から請求項３までのいずれか１項に記載の子供用椅子において、前記ハンドルバーの前記一端部に、前記ハンドルバーの開放方向の回動を規制するストッパー部が設けられていることを特徴としている。
【００１５】
請求項４に記載の発明では、ハンドルバーの一端部に、ハンドルバーの開放方向の回動を規制するストッパー部が設けられているので、ハンドルバーの他端部の開きすぎが規制される。このため、ハンドルバーの開放時に他端部が椅子本体から張り出すことが抑制される。
【００１６】
請求項５に記載の発明に係る二輪車は、請求項１から請求項４までのいずれか１項に記載の子供用椅子が取り付けられていることを特徴としている。
【００１７】
請求項５に記載の発明では、請求項１から請求項４までのいずれか１項に記載の子供用椅子が取り付けられており、子供が着座したときに椅子本体の前方側のハンドルバーを握ることができ、安全性が確保される。また、子供用椅子の取り付け位置が制限されることが少なく、汎用の二輪車に取り付け可能である。また、ハンドルバーが前方側の斜め上方方向に開放されるので、子供の乗降時にハンドルバーが顔などの身体に当たることが抑制される。
【発明の効果】
【００１８】
本発明によれば、子供の乗降時にハンドルバーが子供の身体に当たるのを防止できると共に、ハンドルバーの取り付け位置の制限が少なく、子供用椅子を二輪車の所望の位置に取り付け可能である。
【発明を実施するための最良の形態】
【００１９】
以下、本発明の子供用椅子及び二輪車における実施の形態を図面に基づいて説明する。
【００２０】
図１には、本発明の一実施形態である子供用椅子１０が取り付けられた二輪車２の後方部が示されている。二輪車２のサドル４の後方に荷台６が設けられ、この荷台６上に子供用椅子１０の椅子本体１２が図示しない取り付け金具によって固定支持されている。
【００２１】
図２及び図３に示すように、子供用椅子１０は、腰部及び尻部を囲むように湾曲して形成された椅子本体１２を備えており、子供が着座可能となっている。椅子本体１２の上方部には、肩部を保護するショルダーガード部１４と、このショルダーガード部１４の上方で頭部を保護するヘッドガード部１６とが一体に形成されたガード本体１８が、椅子本体１２と一部が重なり合うように配設されている。また、椅子本体１２の下部の両側に足部支持体２０が垂下されており、足部支持体２０の先端には、それぞれ足を載置可能なステップ部２２が設けられている。
【００２２】
椅子本体１２は、子供の腰面に沿って両サイドが前方に湾曲しながら延びた側面部１２Ａを備えている。それぞれの側面部１２Ａの上方部には、着座した子供の前方側をガードするように掛け渡されたハンドルバー３０が設けられている。このハンドルバー３０は、側面部１２Ａから斜め前方側に突出する略Ｕ字状部材で構成されている。
【００２３】
図４に示すように、ハンドルバー３０の一端部には支軸３２が設けられており、支軸３２は側面部１２Ａに回動可能に支持されている。ハンドルバー３０は、支軸３２を中心に回動することで、ハンドルバー３０の他端部側が開閉可能となっている（図３参照）。また、図４〜図６に示すように、ハンドルバー３０の他端部には、他端側の側面部１２Ａに被係合部として形成された開口部１３Ａにワンタッチで取り付けられる係合部として形成された取付部３４が設けられている。この取付部３４は、爪部３６Ａが形成された係合部材３６を備えており、係合部材３６は回転軸３８を中心にフレーム３５に回動可能に支持されている。爪部３６Ａは、係合部材３６の一端部の内側に上下方向に形成されており、開口部１３Ａの内壁に上下方向に形成された突起部１３Ｂに係合可能となっている。この爪部３６Ａの周囲は、フレーム３５から露出している。
【００２４】
係合部材３６の他端部には、フレーム３５の外側に露出された操作レバー３６Ｂを備えており、この操作レバー３６Ｂはフレーム３５内に付勢部材として設けられたスプリング４０によって外側方向に付勢されている。操作レバー３６Ｂの内側には、フレーム３５と当接し係合部材３６の回動を規制するストッパー３６Ｃが設けられている。係合部材３６のストッパー３６Ｃがフレーム３５と当接した状態で、爪部３６Ａが突起部１３Ｂと係合し、取付部３４が開口部１３Ａ内でロックされるように構成されている。
【００２５】
図７及び図８に示すように、ハンドルバー３０は、支軸３２を中心に回動することにより、取付部３４側が椅子本体１２に対して前方側の斜め上方方向に回動するように構成されている。また、ハンドルバー３０の支軸３２側の側面部１２Ａには、ハンドルバー３０の開放方向の回動を規制するストッパー部１３Ｄが設けられている。ハンドルバー３０の回動がストッパー部１３Ｄで規制されることにより、図３に示すように、ハンドルバー３０は、取付部３４が椅子本体１２の上方部から外れた位置まで開放される。
【００２６】
また、図２に示すように、ショルダーガード部１４の内側には、中央部に装着されるクッション４４Ａと、両サイドに装着されるクッション４４Ｂが設けられている。これらのクッション４４Ａ、４４Ｂは、内部に発泡性ポリウレタンなどの弾性体が装填された衝撃吸収部材であり、ショルダーガード部１４の内側面に図示しないマジックテープ（登録商標）によって着脱可能に装着される。また、ヘッドガード部１６の内側には、中央部に装着されるクッション４６Ａと、両サイドに装着されるクッション４６Ｂが設けられている。これらのクッション４６Ａ、４６Ｂは、ヘッドガード部１６の内側面に図示しないマジックテープ（登録商標）によって着脱可能に装着される。なお、図３、図４、図７は、クッション４４Ａ、４４Ｂ、４６Ａ、４６Ｂが離脱された状態が示されている。
【００２７】
次に、上記のような構成の子供用椅子１０の作用について説明する。
【００２８】
子供が子供用椅子１０に乗り降りする際に、図４に示すように、操作レバー３６Ｂを押すと、スプリング４０が圧縮されて係合部材３６が回転軸３８を中心に回動し、爪部３６Ａと突起部１３Ｂとの係合が外れる。これにより、ハンドルバー３０は支軸３２を中心に回動可能となり、取付部３４側が椅子本体１２に対して前方側の斜め上方方向に回動する。ハンドルバー３０は、ストッパー部１３Ｄで規制されるまで回動し、図３に示すように、ハンドルバー３０は、取付部３４が椅子本体１２の上方部から外れた位置まで開放される。この状態で、子供が子供用椅子１０に乗り降りするため、子供の顔などの身体にハンドルバー３０が当たることを抑制できる。
【００２９】
また、ハンドルバー３０が椅子本体１２に対して前方側の斜め上方方向に開放されるので、子供用椅子１０の二輪車２に対する取り付け位置の制限が少なく、汎用の二輪車２に装着可能である。また、ハンドルバー３０が前方側に突出するＵ字状部材であるので、椅子本体１２の座面を短くすることができる。このため、椅子本体１２を二輪車２のできるだけ前方に取り付けることが可能となり、椅子本体１２の取り付け位置の制限がよりいっそう少なくなる。
【００３０】
また、ハンドルバー３０はＵ字状部材からなり、開放時に取付部３４が椅子本体１２の上方部から外れた位置で止まるので、ハンドルバー３０の開きすぎが防止される。このため、ハンドルバー３０が二輪車２の側方に張り出すことが抑制され、開放時にハンドルバー３０が周囲の部材に衝突することが防止される。
【００３１】
子供が子供用椅子１０に着座し、又は子供の降車が完了したとき、ハンドルバー３０を閉止方向に回動する。そして、取付部３４を開口部１３Ａに挿入すると、スプリング４０を圧縮させながら爪部３６Ａが突起部１３Ｂの背面側斜面１３Ｃを摺動する。そして、爪部３６Ａが背面側斜面１３Ｃを外れるとスプリング４０の力によって爪部３６Ａが突起部１３Ｂに係合され、取付部３４が開口部１３Ａにロックされる。これにより、ワンタッチでハンドルバー３０を開閉することができる。
【００３２】
なお、上記実施形態では、椅子本体１２の上方部にショルダーガード部１４及びヘッドガード部１６を備えているが、この構成に限定するものではなく、他の構成の椅子本体１２にも本発明を適用可能である。
【００３３】
なお、上記実施形態では、子供用椅子１０をサドル４の後方に取り付けているが、この構成に限定するものではなく、ハンドル部周辺に取り付ける場合にも本発明を適用可能である。
【図面の簡単な説明】
【００３４】
【図１】本発明の一実施形態である子供用椅子をサドルの後方に取り付けた二輪車の後方部を示す側面図である。
【図２】本発明の一実施形態である子供用椅子の斜視図である。
【図３】本発明の一実施形態である子供用椅子の正面図である。
【図４】本発明の一実施形態である子供用椅子に用いられるハンドルバーの取付部付近を示す断面図である。
【図５】図４に示すハンドルバーの取付部及び椅子本体に設けられた開口部を示す斜視図である。
【図６】図４に示すハンドルバーの取付部を他の角度から見た斜視図である。
【図７】子供用椅子のハンドルバーを開放した状態を示す斜視図である。
【図８】子供用椅子のハンドルバーを開放した状態を示す側面図である。
【符号の説明】
【００３５】
２     二輪車
４     サドル
６     荷台
１０   子供用椅子
１２   椅子本体
１２Ａ 側面部
１３Ａ 開口部
１３Ｂ 突起部
１３Ｃ 背面側斜面
１３Ｄ ストッパー部
１４   ショルダーガード部
１６   ヘッドガード部
１８   ガード本体
３０   ハンドルバー
３２   支軸
３４   取付部
３５   筐体
３６   係合部材
３６Ａ 爪部
３６Ｂ 操作レバー
３６Ｃ ストッパー
３８   回転軸
４０   スプリング
４４Ａ クッション
４４Ｂ クッション
４６Ａ クッション
４６Ｂ クッション
【図１】
2007302094.tif 000003
【図２】
2007302094.tif 000004
【図３】
2007302094.tif 000005
【図４】
2007302094.tif 000006
【図５】
2007302094.tif 000007
【図６】
2007302094.tif 000008
【図７】
2007302094.tif 000009
【図８】
2007302094.tif 000010